(57)【特許請求の範囲】
【請求項１】
側面の一部に洗濯物の挿入口を有し、内部に回転ドラムを収容してある筐体を備える洗濯機において、
前記筐体は、その上部に開口部を有し、
該開口部の三つの位置に亘って補強部材を跨設してあり、
前記三つの位置のうちの二つは、前記筐体の上部における前記挿入口の上方を両側方へはずれた位置に配してあり、
他の一つは、前記挿入口の上方の前記上部と反対方向の位置に配してあり、
前記補強部材は、
前記二つの位置に亘って跨設された第１補強体と、
該第１補強体の長手方向中途及び前記一つの位置に亘って跨設された第２補強体と
を有すること
を特徴とする洗濯機。
【請求項２】
前記第１補強体は、前記挿入口の上方の前記上部及び前記一つの位置の間の中央よりも前記挿入口の上方の前記上部側に配してある請求項１記載の洗濯機。
【請求項３】
前記第２補強体は、前記二つの位置間の中央部に配してある請求項１又は２記載の洗濯機。
【請求項４】
前記筐体内に配され、その内部に前記回転ドラムを配してある水槽を備え、前記第１補強体及び第２補強体は、前記水槽を吊す吊ばねを取付けてある請求項１から３のいずれか一つに記載の洗濯機。
【発明の詳細な説明】
【技術分野】
【０００１】
本発明は側面の一部に洗濯物の挿入口を有し、内部に回転ドラムを収容してある筐体を備える洗濯機に関する。
【背景技術】
【０００２】
洗濯機は、水槽内の底部に攪拌翼を有し、筐体の上部に洗濯物の挿入口が設けられている翼式洗濯機と、鉛直に対してその軸心が傾斜する水槽内に回転ドラムが収容され、筐体の一側部に洗濯物の挿入口が設けられているドラム式洗濯機とが一般に知られている。
【０００３】
ドラム式洗濯機は、筐体内にサスペンション部材により弾性的に支持される水槽と、該水槽内に回転を自在に収容支持される回転ドラムと、該回転ドラムを駆動するドラムモータとを備える。筐体は、挿入口が開設されている前板、後板及び２枚の側板を有する略直方体をなし、該筐体の下部に四角形をなす底台が取付けられ、筐体の上部に天蓋が取付けられている。また、筐体における２枚の側板の上縁に亘って補強板が跨設され、筐体における後側角部の上部にばね掛板が取付けられ、該ばね掛板に取付けられる吊ばねにて前記水槽の一部を吊下げるように構成されている。
【先行技術文献】
【特許文献】
【０００４】
【特許文献１】特開２００１−２１２３９６号公報
【発明の概要】
【発明が解決しようとする課題】
【０００５】
ドラム式洗濯機は、筐体内にサスペンション部材により支持され、吊ばねにて吊下げられた水槽内で回転ドラムが回転することにより該回転ドラム内の洗濯物を洗濯するように構成されているため、回転ドラムの回転に伴う振動が水槽に伝達され、該水槽が前後方向、左右方向及び前後方向と交差する斜め方向に振動することになり、この水槽の振動が筐体に伝達され、該筐体が、前後方向、左右方向及び前後方向と交差する斜め方向に共振することになる。
【０００６】
しかしながら、特許文献１に記載された洗濯機は、略直方体をなす筐体の対向する２枚の側板の上縁に亘って補強板が跨設されているにすぎず、筐体の共振振動数が比較的低いため、筐体の振動に対する強度が低くなり、改善策が要望されていた。また、筐体における後板の横方向中央側が横方向両端部よりも後方へ膨らんでいる筐体にあっては、筐体の共振振動数がより一層低下し、筐体の振動に対する強度がより一層低下する。筐体の振動に対する強度を高くするには、筐体を構成する前板、後板及び２枚の側板の厚さを厚くしたり、前板、後板及び２枚の側板の結合強度を高くしたり、２枚の側板の上縁に亘って跨設される補強板の個数を増やしたりする必要があるため、筐体のコスト、ひいては洗濯機のコストが高くなり、さらなる改善策が要望されていた。
【０００７】
また、筐体の対向する２枚の側板の上縁に亘って跨設されている補強板には、吊ばねにて水槽が吊下げられているため、水槽の振動、洗濯機全体の落下等により比較的強い力が補強板に加わった際、該補強板が変形しないように、補強板を広幅とし、板厚を厚くする必要があり、この点においても筐体のコスト、ひいては洗濯機のコストが高くなり、さらなる改善策が要望されていた。
【０００８】
本発明は斯かる事情に鑑みてなされたものであり、主たる目的は三つの位置に亘って跨設されている補強部材を備える簡易な構成にて、交差する３方向の振動に対する筐体の強度を高くすることができるとともに、振動に対する筐体の強度を高くすることができる割にコストを低減することができる洗濯機を提供することにある。
【課題を解決するための手段】
【０００９】
本発明に係る洗濯機は、側面の一部に洗濯物の挿入口を有し、内部に回転ドラムを収容してある筐体を備える洗濯機において、前記筐体は、その上部に開口部を有し、該開口部の三つの位置に亘って補強部材を跨設してあり、前記三つの位置のうちの二つは、前記筐体の上部における前記挿入口の上方を両側方へはずれた位置に配してあり、他の一つは、前記挿入口の上方の前記上部と反対方向の位置に配してあり、前記補強部材は、前記二つの位置に亘って跨設された第１補強体と、該第１補強体の長手方向中途及び前記一つの位置に亘って跨設された第２補強体とを有することを特徴とする。
【００１０】
この発明にあっては、上部に開口部を有する筐体の開口部の三つの位置に亘って跨設されている補強部材により、交差する３方向の振動に対する筐体の強度を高くすることが可能であるとともに、筐体の共振振動数を高くすることができ、回転ドラムにて発生する振動数よりも筐体の共振振動数を遠ざけることができ、しかも、三つの位置に亘って跨設されている補強部材を備える簡易な構成であるため、強度を高くすることができる割にコストを低減することができる。
【００１１】
また、この発明にあっては、補強部材を平面視で略Ｔ字形に配することが可能であり、挿入口による筐体の強度低下を、二つの位置に亘って跨設された補強部材により防ぐことができるとともに、該補強部材の外力による変形を、他の一つの位置に跨設された補強部材により抑制することができ、振動及び不用意な落下等による比較的強い力に対する強度の余裕度を向上させることができる。
【００１２】
また、この発明にあっては、筐体の上部における挿入口の上方を両側方へはずれた二つの位置に亘って第１補強体が跨設され、該第１補強体の長手方向中途及び挿入口の上方の上部と反対方向の位置に亘って第２補強体が跨設されているため、第１補強体及び第２補強体により、交差する３方向の振動に対する筐体の強度を高くすることが可能であるとともに、筐体を備える筐体の共振振動数を高くすることができ、回転ドラムにて発生する振動数よりも筐体の共振振動数を遠ざけることができ、しかも、第１補強体に加えて第２補強体を備える簡易な構成であるため、強度を高くすることができる割にコストを低減することができる。
【００１３】
また、本発明に係る洗濯機は、前記第１補強体は、前記挿入口の上方の前記上部及び前記一つの位置の間の中央よりも前記挿入口の上方の前記上部側に配してある構成とするのが好ましい。
この発明にあっては、筐体の挿入口側の強度を高めることができ、振動及び不用意な落下等による比較的強い力に対する強度の余裕度を向上させることができる。
【００１４】
また、本発明に係る洗濯機は、前記第２補強体は、前記二つの位置間の中央部に配してある構成とするのが好ましい。
この発明にあっては、第２補強体により第１補強体の強度をより一層高めることができるとともに、筐体の上部を、第２補強体を中心とする略同形状の二つの枠構造にして筐体の強度をより一層高め得るため、洗濯時における比較的大きい振動及び輸送時の不用意な落下による比較的大きい衝撃に対する強度の余裕度を向上させることができる。
【００１５】
また、本発明に係る洗濯機は、前記筐体内に配され、その内部に前記回転ドラムを配してある水槽を備え、前記第１補強体及び第２補強体は、前記水槽を吊す吊ばねを取付けてある構成とするのが好ましい。
この発明にあっては、水槽を第１補強体及び第２補強体の夫々に吊ることができるため、吊ばねを配する箇所の自由度を高めることができ、筐体の強度を高めることができながら、吊ばね用のばね掛部材をなくすることができ、吊ばねを備える洗濯機のコストを低減することができる。
【発明の効果】
【００１６】
本発明によれば、平面視で交差する３方向の振動に対する筐体の強度を高くすることができ、筐体の耐久性を高めることができるとともに、三つの位置に亘って跨設されている補強部材を備える簡易な構成であり、強度を高くすることができる割にコストを低減することができる。
【図面の簡単な説明】
【００１７】
【図１】本発明に係る洗濯機の構成を示す模式的断面図である。
【図２】本発明に係る洗濯機の筐体の構成を示す斜視図である。
【図３】本発明に係る洗濯機の筐体の構成を示す斜視図である。
【図４】本発明に係る洗濯機の筐体の構成を示す要部の拡大した分解斜視図である。
【発明を実施するための形態】
【００１８】
以下本発明をその実施の形態を示す図面に基づいて詳述する。図１は本発明に係る洗濯機の構成を示す模式的断面図、図２及び図３は洗濯機の筐体の構成を示す斜視図、図４は洗濯機の筐体の構成を示す要部の拡大した分解斜視図である。
【００１９】
図に示した洗濯機は、略直方体をなし、側面の一部に洗濯物の挿入口１ａを有する板金製の筐体１と、挿入口１ａに対応する開口３ａを有し、筐体１内にその下部がサスペンション部材２により弾性的に支持されている水槽３と、挿入口１ａに対応する開口４ａを有し、水槽３内に回動を可能に収容されている回転ドラム４と、水槽３の他側部に装着され、回転ドラム４を駆動するドラムモータ５と、水槽３内に給水する電磁式の給水弁６と、該給水弁６に接続され、水槽３内に蒸気を供給する蒸気発生器７と、水槽３内の水を排水する電磁式の排水弁８と、ドラムモータ５等を駆動制御する制御部とを備えるドラム式洗濯機である。
【００２０】
筐体１は、上部に丸形の挿入口１ａが開設されている前板１１と、前後に離隔して前板１１に対向する後板１２と、前板１１及び後板１２の両側縁を連結する２枚の側板１３，１４とを有する。筐体１の下部には四角形をなす底台１５が取付けられ、上部には四角形をなす天蓋１６が取付けられる。また、前板１１の外側に、挿入口１ａに対応する開口１７ａが開設された外装板１７がビス等により取付けられている。後板１２は横方向中央側が横方向両端部よりも後方へ膨らんでいる。
【００２１】
外装板１７は前板１１の上縁よりも上方に長く形成され、該外装板１７の上部外面に、各種の操作のための操作キー及び各種の表示のための表示部を有する操作パネル９が設けられている。操作パネル９は、外装板１７の上部内側に配される前記制御部に接続してあり、洗濯運転、脱水運転及び乾燥運転を含む洗濯機の運転は、操作パネル９の操作に応じた制御部の動作により実行される。また、外装板１７の開口部分には、開口を開閉するための蓋体１８が枢着される。
【００２２】
前板１１の両側縁部と、後板１２及び側板１３，１４の両側縁部とにはビス等にて互いに結合される内向きの鍔部が一体に設けられ、後板１２及び側板１３，１４の上縁部にはビス等にて天蓋１６が結合される内向きの鍔部が一体に設けられている。また、後板１２及び側板１３，１４の鍔部夫々には、天蓋１６が結合されるための孔とは別個に、上下に貫通する取付孔１２ａ，１３ａ，１４ａが設けられている。後板１２の取付孔１２ａは側板１３，１４間の中央部に配してあり、側板１３，１４の取付孔１３ａ，１４ａは前板１１側に配してある。
【００２３】
補強部材として、側板１３，１４における前板１１側の上部に亘って板金製の第１補強体１９が跨設され、該第１補強体１９の長手方向中央部と後板１２における上部の中央部とに亘って板金製の第２補強体２０が跨設されている。第１補強体１９及び第２補強体２０は平面視で略Ｔ字形をなすように配してある。
【００２４】
第１補強体１９は、横方向に長い杆板部１９ａ、該杆板部１９ａの両端から厚さ方向へ垂下する垂下部１９ｂ，１９ｂ及び垂下部１９ｂ，１９ｂの両端から杆板部１９ａの長手方向へ曲がる鍔部１９ｃ，１９ｃとを有する略門形をなし、杆板部１９ａの長手方向中央部に第１孔１９ｄが開設され、鍔部１９ｃ，１９ｃに第２孔１９ｅが開設されている。第１補強体１９の一端部は、第２孔１９ｅへ挿通されるビスが側板１３の取付孔１３ａへ螺入されることにより側板１３に取付けられ、他端部は、第２孔１９ｅへ挿通されるビスが側板１４の取付孔１４ａへ螺入されることにより側板１４に取付けられている。また、第１補強体１９の長手方向中央部には、水槽３の上部前方側を吊す吊ばね１０が取付けられている。
【００２５】
第２補強体２０は、横方向に長い杆板部２０ａ、該杆板部２０ａの一端から厚さ方向へ垂下する垂下部２０ｂ及び垂下部２０ｂの一端から杆板部２０ａの長手方向へ曲がる鍔部２０ｃとを有する略鉤形をなし、杆板部２０ａの他端部及び鍔部２０ｃに第３孔２０ｄが開設されている。第２補強体２０の一端部は、鍔部２０ｃの第３孔２０ｄへ挿通されるビスが後板１２の取付孔１２ａへ螺入されることにより後板１２の中央部に取付けられ、他端部は、第３孔２０ｄへ挿通されるビスが第１補強体１９の第１孔１９ｄへ螺入されることにより第１補強体１９の中央部に取付けられている。また、第２補強体２０の他端側には、水槽３の上部後方側を吊す吊ばね２１が取付けられている。
【００２６】
水槽３は一端に開口３ａを有する大径の有底筒形をなし、底台１５上に装着されたサスペンション部材２により、開口３ａが上位となるように鉛直に対して軸心を傾けた傾斜姿勢を保って弾性支持され、開口３ａが挿入口１ａと対向している。水槽３の他端側底部にはドラムモータ５が装着され、該ドラムモータ５の出力軸５ａが水槽３の軸心と同軸に配されている。また、水槽３の開口３ａ側上部には吊ばね１０，２１が掛止され、第１補強体１９及び第２補強体２０に揺動を可能に吊下げ支持されている。水槽３の底部側上部には給水管２２が接続され、該給水管２２の中途に給水弁６が接続されている。給水弁６は三方切換弁であり、該三方切換弁の一つのポートに送水管２３が接続され、該送水管２３の中途に貯水槽２４、定量ポンプ２５及び蒸気発生器７が接続され、蒸気発生器７にて発生された蒸気を送水管２３先端から回転ドラム４の開口４ａ内側に噴射するように構成されている。
【００２７】
回転ドラム４は、一端に開口４ａを有し、水槽３よりも若干小径の有底筒形をなしており、水槽３と同軸をなして水槽３内に回動自在に支持されている。回転ドラム４は水槽３の開口３ａの内側に開口４ａを臨ませ、他端側底部の中央に出力軸５ａが連結されており、開口４ａの外周りには環状の流体バランサ４１が周設され、回転ドラム４の回動に伴う振動を吸収するようになしてある。また、回転ドラム４の周面には多数の小孔４ｂが全周面に亘って開設され、内面には軸長方向に延びる複数のバッフル４ｃが周方向に離隔して突設されている。
【００２８】
以上のように構成された洗濯機は、底台１５の周縁部に筐体１の下端がビス等により取付られ、筐体１の上端に天蓋１６がビス等により取付られ、筐体１における前板１１の外側に外装板１７がビス等により取付けられている。
【００２９】
筐体１における後板１２及び側板１３，１４の上縁部には取付孔１２ａ，１３ａ，１４ａを有する鍔部が一体に設けられ、側板１３，１４の鍔部で、前板１１側に配してある取付孔１３ａ，１４ａには、長手方向中央部に第１孔１９ｄを有する第１補強体１９の両端部がビス等により取付けられ、また、第１補強体１９の長手方向中央部に設けられた第１孔１９ｄ及び後板１２の鍔部で、側板１３，１４間の中央部に配してある取付孔１２ａには、第２補強体２０の両端部がビス等により取付けられ、第１補強体１９及び第２補強体２０が平面視で略Ｔ字形をなすように配してあるため、回転ドラム４の回動に伴って筐体１に加わる前後方向、左右方向及び前後方向と交差する斜め方向の振動に対する筐体１の強度を高くすることができ、筐体１の共振振動数を高くすることができる。このように、筐体１の共振振動数を高くすることができ、回転ドラム４の回動により発生する振動数よりも筐体１の共振振動数を遠ざけることができるため、前後方向、左右方向及び前後方向と交差する斜め方向の振動、換言すると交差する３方向の振動に対する筐体１の強度を高くすることができ、耐久性を向上することができる。また、後板１２の横方向中央側が横方向両端部よりも後方へ膨らんでいる筐体１であるに拘らず、交差する３方向の振動に対する筐体１の強度を高くすることができる。
【００３０】
また、２枚の側板１３，１４に亘って跨設されている第１補強体１９の長手方向中央部に第２補強体２０が取付けられ、筐体１の上部が、第２補強体２０を中心とする略同形状の二つの枠構造に形成されて筐体１の強度がより一層高くなっているため、洗濯時における比較的大きい振動及び輸送時の不用意な落下による比較的大きい衝撃に対する強度の余裕度を向上させることができる。
【００３１】
また、第１補強体１９の長手方向中央部に第２補強体２０が取付けられ、第１補強体１９の強度が高くなっているため、第１補強体１９の長手方向中途と水槽３の上部とを連結部材にて連結し、輸送時に水槽３が揺動するのを抑制する構成とした場合でも、比較的大きい衝撃に対する強度の余裕度を向上させることができる。
【００３２】
また、水槽３を吊下げる吊ばね１０，２１を第１補強体１９及び第２補強体２０の夫々、又は第１補強体１９及び第２補強体２０のいずれか一方に取付けることができ、吊ばね１０，２１を配する箇所の自由度高めることができるため、交差する３方向の振動に対する筐体１の強度向上を実現しつつ、吊ばね１０，２１を取付けるための部材をなくすることができ、筐体１のコスト、ひいては洗濯機のコストを低減できる。
【００３３】
また、水槽３の上側に配される蒸気発生器７等の付設部品を第２補強体２０に取付けることができるため、付設部品専用の取付部材をなくすることができ、洗濯機のコストを低減できる。
【００３４】
また、天蓋１６の中央側を第１補強体１９及び第２補強体２０にて支えることができるため、天蓋１６の厚さを薄くすることができ、筐体１の強度不足を来すことなく筐体１のコスト、ひいては洗濯機のコストを低減できる。
【００３５】
尚、以上説明した実施の形態では、２枚の側板１３，１４の前板１１側に第１補強体１９を跨設し、第１補強体１９の長手方向中央部と後板１２の横方向中央部とに亘って第２補強体２０を跨設したが、その他、第１補強体１９は２枚の側板１３，１４の後板１２側、又は２枚の側板１３，１４の前後方向中央部に跨設されてもよいし、また、第２補強体２０は第１補強体１９の長手方向一方側と後板１２の横方向一方側とに亘って跨設されてもよく、第１補強体１９及び第２補強体２０が跨設される位置は特に制限されない。
【００３６】
また、以上説明した実施の形態では、略直方体をなす筐体１の２枚の側板１３，１４に亘って第１補強体１９を跨設し、第１補強体１９と後板１２とに亘って第２補強体２０を跨設したが、その他、前板１１と後板１２とに亘って第１補強体１９を跨設し、第１補強体１９と一方の側板１３（又は１４）とに亘って第２補強体２０を跨設した構成としてもよいし、また、前板１１又は後板１２と一方の側板１３（又は１４）とに亘って第１補強体１９を跨設し、第１補強体１９と他方の側板１４（又は１３）とに亘って第２補強体２０を跨設した構成としてもよい。
【００３７】
また、以上説明した実施の形態では、略直方体をなす筐体１を備える構成としたが、その他、筐体１の形状は特に制限されず、上部に開口部を有する筒形をなし、周方向へ離隔した２位置に亘って第１補強体１９が跨設される形状であればよい。
【００３８】
また、以上説明した実施の形態では、第１補強体１９及び第２補強体２０を板金製としたが、その他、第１補強体１９及び第２補強体２０は棒状であってもよく、第１補強体１９及び第２補強体２０の構造は特に制限されない。
【符号の説明】
【００３９】
１    筐体
１ａ  挿入口
３    水槽
４    回転ドラム
１９  第１補強体
２０  第２補強体
１０，２１  吊ばね
【図１】
0005730004.tif 000002
【図２】
0005730004.tif 000003
【図３】
0005730004.tif 000004
【図４】
0005730004.tif 000005